【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
コーティング、塗料、またはインクに重合剤として使用するポリマー化合物であって、前記ポリマー化合物が、６重量％を超える金属含有量およびＯＥＣＤ１０５に従って２０ｍｇ／ｌ未満の水溶性を有する金属含有ウレタン化ポリマーを含み、前記ウレタン化ポリマーが、低揮発性有機化合物（低ＶＯＣ）溶媒に可溶であり、前記ウレタン化ポリマーが、ヒドロキシ酸、飽和カルボン酸、金属水酸化物、およびイソシアネートから少なくとも一部が形成されている、ポリマー化合物。
【請求項２】
前記ウレタン化ポリマーが、炭化水素樹脂、アルキド樹脂、またはそれらのあらゆる組み合わせを含む印刷インクに可溶である、請求項１に記載のポリマー化合物。
【請求項３】
前記低ＶＯＣ溶媒がエステル溶媒である、請求項１または２に記載のポリマー化合物。
【請求項４】
前記エステル溶媒が、乳酸エステル、脂肪酸エステル、およびそれらのあらゆる組み合わせからなる群からの少なくとも１種である、請求項３に記載のポリマー化合物。
【請求項５】
前記金属が、前記ポリマー化合物の骨格の不可欠な部分である、請求項１〜４のいずれか一項に記載のポリマー化合物。
【請求項６】
前記金属が、コバルト、マンガン、カルシウム、ビスマス、ストロンチウム、および鉄からなる群から選択される、請求項１〜５のいずれか一項に記載のポリマー化合物。
【請求項７】
前記金属がコバルトまたはマンガンであり、前記金属の含有量が６重量％〜８重量％である、請求項１〜６のいずれか一項に記載のポリマー化合物。
【請求項８】
前記ウレタン化ポリマーが、前記溶媒に可溶であり、２０℃で３０００ｃＰ未満の全粘度を有する混合物を形成する、請求項１〜７のいずれか一項に記載のポリマー化合物。
【請求項９】
前記ウレタン化ポリマーが２０００Ｄａ未満の平均分子量を有する、請求項１〜８のいずれか一項に記載のポリマー化合物。
【請求項１０】
前記ヒドロキシ酸がリシノール酸であり、前記カルボン酸がネオデカン酸であり、前記金属水酸化物が水酸化コバルトまたは水酸化マンガンであり、前記イソシアネートがイソホロンジイソシアネート（ＩＰＤＩ）である、請求項１〜９のいずれか一項に記載のポリマー化合物。
【請求項１１】
コーティング、塗料、またはインクに重合剤として使用するポリマー化合物であって、
前記ポリマー化合物が、以下の式：
【化１】
2019502773.tif 000001
（式中、
Ｍが金属であり、
Ｒ１が第１のアルキル基であり、
Ｒ２が第２のアルキル基である）
を有する金属含有ウレタン化ポリマーを含んでなる、ポリマー化合物。
【請求項１２】
前記金属Ｍが、コバルト、マンガン、カルシウム、ビスマス、ストロンチウム、および鉄からなる群から選択され、前記第１のアルキル基Ｒ１が６個の炭素原子を含み、前記第２のアルキル基Ｒ２が７個の炭素原子を含む、請求項１１に記載のポリマー化合物。
【請求項１３】
前記金属含有ウレタン化ポリマーが、６重量％を超える金属含有量およびＯＥＣＤ１０５に従って２０ｍｇ／ｌ未満の水溶性を有し、前記ウレタン化ポリマーが、低揮発性有機化合物（低ＶＯＣ）溶媒に可溶である、請求項１１または１２に記載のポリマー化合物。
【請求項１４】
前記低ＶＯＣ溶媒がエステル溶媒である、請求項１３に記載のポリマー化合物。
【請求項１５】
前記エステル溶媒が、乳酸エステルおよび脂肪酸エステルからなる群からの少なくとも１種である、請求項１４に記載のポリマー化合物。
【請求項１６】
前記ウレタン化ポリマーが、前記溶媒に可溶であり、２０℃で３０００ｃＰ未満の全粘度を有する混合物を形成する、請求項１３〜１５のいずれか一項に記載のポリマー化合物。
【請求項１７】
前記ウレタン化ポリマーが、炭化水素樹脂、アルキド樹脂、またはそれらのあらゆる混合物を含む印刷インクに可溶である、請求項１１〜１６のいずれか一項に記載のポリマー化合物。
【請求項１８】
前記金属が、前記ポリマー化合物の骨格の不可欠な部分である、請求項１１〜１７のいずれか一項に記載のポリマー化合物。
【請求項１９】
前記金属が、コバルト、マンガン、カルシウム、ビスマス、ストロンチウム、および鉄からなる群から選択される、請求項１１〜１８のいずれか一項に記載のポリマー化合物。
【請求項２０】
前記金属がコバルトまたはマンガンであり、前記金属の含有量が６重量％〜８重量％である、請求項１１〜１９のいずれか一項に記載のポリマー化合物。
【請求項２１】
前記ウレタン化ポリマーが、ヒドロキシ酸、飽和カルボン酸、金属水酸化物、およびイソシアネートから少なくとも一部が形成されている、請求項１１〜２０のいずれか一項に記載のポリマー化合物。
【請求項２２】
前記ヒドロキシ酸がリシノール酸であり、前記カルボン酸がネオデカン酸であり、前記金属水酸化物が水酸化コバルトまたは水酸化マンガンであり、前記イソシアネートがイソホロンジイソシアネート（ＩＰＤＩ）である、請求項２１に記載のポリマー化合物。
【請求項２３】
低ＶＯＣ溶媒に溶解された請求項１〜２２のいずれか一項に記載のポリマー化合物を含み、前記低ＶＯＣ溶媒が、乳酸エステル、脂肪酸エステル、およびそれらのあらゆる組み合わせからなる群からの少なくとも１種である、乾剤燥組成物。
【請求項２４】
請求項１〜２２のいずれか一項に記載のポリマー化合物と、不飽和脂肪酸変性ポリマー系バインダーと、を含んでなるコーティング組成物。
【請求項２５】
前記ポリマー化合物が第１の金属含有ウレタン化ポリマーであり、前記コーティング組成物が第２の金属含有化合物をさらに含み、前記第１の金属と前記第２の金属とが異なる金属である、請求項２４に記載のコーティング組成物。
【請求項２６】
ポリマー化合物の製造方法であって、前記方法が、
ヒドロキシ酸と飽和カルボン酸とを混合して混合物を形成することと、
前記混合物を金属水酸化物と反応させて中間生成物を形成することと、
前記中間生成物をイソシアネートと重合して、６重量％を超える金属含有量およびＯＥＣＤ１０５に従って２０ｍｇ／ｌ未満の水溶性を有し、低揮発性有機化合物（低ＶＯＣ）溶媒に可溶である金属含有ウレタン化ポリマーを形成することと、
を含む、ポリマー化合物の製造方法。
【請求項２７】
前記ヒドロキシ酸がリシノール酸であり、前記カルボン酸がネオデカン酸であり、前記金属水酸化物が水酸化コバルトまたは水酸化マンガンであり、前記イソシアネートがイソホロンジイソシアネート（ＩＰＤＩ）である、請求項２６に記載の方法。
【請求項２８】
低ＶＯＣ溶媒に前記ウレタン化ポリマーを溶解させることをさらに含み、前記低ＶＯＣ溶媒が、乳酸エステル、脂肪酸エステル、およびそれらのあらゆる組み合わせからなる群からの少なくとも１種である、請求項２６または２７に記載の方法。
【請求項２９】
前記ウレタン化ポリマーが、前記溶媒に可溶であり、２０℃で３０００ｃＰ未満の全粘度を有する混合物を形成する、請求項２６〜２８のいずれか一項に記載の方法。
【請求項３０】
前記混合物が、５０重量％〜８０重量％のヒドロキシ酸および２０重量％〜５０重量％のカルボン酸から形成されている、請求項２６〜２９のいずれか一項に記載の方法。
【請求項３１】
ポリマー系コーティング組成物の硬化方法であって、前記方法が、
６重量％を超える金属含有量およびＯＥＣＤ１０５に従って２０ｍｇ／ｌ未満の水溶性を有し、低揮発性有機化合物（低ＶＯＣ）溶媒に可溶である金属含有ウレタン化ポリマーを含む、ポリマー化合物を供給することと、
前記ポリマー化合物を不飽和脂肪酸変性ポリマー系バインダーと混合することと、
前記ポリマー化合物と前記バインダーとの混合物のコーティングを乾燥することと、
を含む、ポリマー系コーティング組成物の硬化方法。
【請求項３２】
不飽和ポリエステルを硬化する硬化触媒としての請求項１〜２２のいずれか一項に記載のポリマー化合物の使用であって、前記ポリマー化合物がコバルト含有ウレタン化ポリマーである、ポリマー化合物の使用。